(57)【要約】  発光ダイオード回路（１０）は、複雑かつ色依存性の反射表面を酒、光をより効率的に使用するために、ダイの頂部側から生じる第１の周辺光（１１）を供し、前記ダイの底部側から生じる第２の周辺光（１２）を供する、発光ダイオードを有する前記ダイを含む。前記ダイを、基板上に配置することができ、前記ダイの平面と前記基板の平面とは、平行でない平面であり、前記ダイは、少なくとも部分的に透明な筐体によって、少なくとも部分的に囲まれ得る。デバイス（１）は、発光ダイオード回路（１０）とディスプレイ／スクリーン（２）を含み、当該デバイス（１）の左／右／後側での支持といった、第1の機能を有する第1の周辺光（１１）によって、支持され、当該デバイス（１）の左／右／前側での支持といった、第２の機能を有する第２の周辺光（１２）によって、支持される。
2012532439.tif 000002
【特許請求の範囲】
【請求項１】
ディスプレイ／スクリーンの周辺に照明効果を発生させる、第１の周辺光及び第２の周辺光を供する、トップエミッティング型発光ダイオードを有するダイを含み、
前記第１の周辺光は、前記ダイの頂部側から生じ、
前記第２の周辺光は、前記ダイの底部側から生じる、
発光ダイオード回路。
【請求項２】
前記ダイは基板上に配置され、
前記ダイの平面と前記基板の平面とは、実質的に鉛直な面である、
請求項１に記載の発光ダイオード回路。
【請求項３】
前記第１の周辺光は、前記第２の周辺光よりも、より高い強度である、
請求項１に記載の発光ダイオード回路。
【請求項４】
前記第１の周辺光は、第１の方向で供され、
前記第２の周辺光は、第２の方向で供される、
請求項１に記載の発光ダイオード回路。
【請求項５】
前記第１の方向の少なくとも１つと前記第２の方向の少なくとも１つとは、反対方向である、請求項４に記載の発光ダイオード回路。
【請求項６】
前記方向の少なくとも１つは、前記ダイに対して鉛直である、請求項４に記載の発光ダイオード回路。
【請求項７】
前記ダイは、少なくとも部分的に透明な筐体によって、少なくとも部分的に囲まれる、請求項１に記載の発光ダイオード回路。
【請求項８】
更なる第１の周辺光と更なる第２の周辺光とを供する、更なるトップエミッティング型の発光ダイオードを有する、更なるダイを含み、
前記更なる第１の周辺光は、前記更なるダイの頂部側から生じ、
前記更なる第２の周辺光は、前記更なるダイの底部側から生じる、
請求項１に記載の発光ダイオード回路。
【請求項９】
また更なる第１の周辺光とまた更なる第２の周辺光とを供する、また更なるトップエミッティング型の発光ダイオードを有する、また更なるダイを含み、
前記また更なる第１の周辺光は、前記また更なるダイの頂部側から生じ、
前記また更なる第２の周辺光は、前記また更なるダイの底部側から生じる、
請求項８に記載の発光ダイオード回路。
【請求項１０】
前記第１の周辺光及び前記第２の周辺光は第１の色であり、
前記更なる第１の周辺光及び前記更なる第２の周辺光は第２の色であり、
前記また更なる第１の周辺光及び前記また更なる第２の周辺光は第３の色である、
請求項９に記載の発光ダイオード回路。
【請求項１１】
請求項１に記載の発光ダイオード回路を含むデバイスであって、
当該デバイスは更に、ディスプレイ／スクリーンを含む、
デバイス。
【請求項１２】
前記第１の周辺光は、第１の機能を有し、
前記第２の周辺光は、第２の機能を有する、
請求項１１に記載のデバイス。
【請求項１３】
前記第１の機能は、前記デバイスの左／右側又は後側に、照明効果を発生させることを含み、
前記第２の機能は、前記デバイスの左／右側又は前側に、照明効果を発生させることを含む、
請求項１２に記載のデバイス。
【請求項１４】
前記照明効果は、前記ディスプレイ／スクリーンを介して示されたビデオコンテンツに対応する、請求項１３に記載のデバイス。
【請求項１５】
ディスプレイ／スクリーンの周辺に照明効果を発生させる、第１の周辺光及び第２の周辺光を供する方法であって、
当該方法は、
発光ダイオードを有するダイを含む、トップエミッティング型の発光ダイオード回路を使用する段階を含み、
前記第１の周辺光は、前記ダイの頂部側から生じ、
前記第２の周辺光は、前記ダイの底部側から生じる、
第１の周辺光及び第２の周辺光を供する方法。
【発明の詳細な説明】
【技術分野】
【０００１】
本発明は、周辺光を供するための、トップ発光の発光ダイオードを有するダイ（ｄｉｅ）を含む、発光ダイオード回路に関する。本発明はまた、そのような発光ダイオード回路を含むデバイスに関し、周辺光を供する方法に関する。
【０００２】
そのようなデバイスの例は、テレビジョン受信機及びテレビのモニターである。
【背景技術】
【０００３】
ＵＳ７，４１４，２７０は、サイドエミッティンングの発光ダイオードパッケージを開示し、トップエミッティング型の発光ダイオードチップが、その頂部表面を通じて光を放つ。発光ダイオードチップの底部表面は、副台（ｓｕｂ−ｍｏｕｎｔ）を介して基板上に取り付けられる。頂部表面及び底部表面の平面は、副台及び基板の平面に対して平行に位置付けられる。
【０００４】
発光ダイオードパッケージの内側の反射表面は、反射された光が、発光ダイオードパッケージを横向きに（ｓｉｄｅｗａｙｓ）離れるような方法で、光を反射する。このような、サイドエミッティングの発光ダイオードパッケージが、開発されている。
【０００５】
異なった色のついた発光ダイオードを同時に使用するとき、反射表面での反射は、波長に依存するであろうという事実のおかげで、異なった色のついた発光ダイオードあたりの、異なる反射表面が必要とされるであろう。言い換えると、反射表面での反射は、色依存性であろう。
【０００６】
ＥＰ１２５１５６８Ａは、同じものを使用した発光デバイス及び表示装置を開示する。発光デバイスは、第１の電極層、ドープされた領域層、接合層（ｊｕｎｃｔｉｏｎ  ｌａｙｅｒ）、基板層及び第２の電極層から成り、光は、基板の両表面を通じて放出される。
【０００７】
ＪＰ２００１３５８３６７Ａは、チップ型発光要素を開示し、図１及び図２において、（その段落００１３内で述べられるように）電極上に取り付けられた底部を有するサイドエミッティングの発光ダイオードを開示し、図３及び図４において、電極に取り付けられた（頂部の反対側に）底部を有するトップエミッティング型の発光ダイオードを開示する。
【発明の概要】
【０００８】
改善された発光ダイオード回路を供することが、本発明の目的であり、トップエミッティング型の発光ダイオードが、マルチサイドエミッティング（ｍｕｌｔｉ−ｓｉｄｅ−ｅｍｉｔｔｉｎｇ）の発光ダイオード回路を作るために使用され、反射は、比較的重要な役割を果たさない。さらに、目的は、改善されたデバイス及び改善された方法を供することである。
【０００９】
本発明の第１の様態によると、発光ダイオード回路は、ディスプレイ／スクリーン周辺に照明効果を発生させる、第１の周辺光及び第２の周辺光を供する、トップエミッティング型の発光ダイオードを有するダイを含み、前記第１の周辺光は、前記ダイの頂部側から生じ、前記第２の周辺光は、前記ダイの底部側から生じて、定義される。
【００１０】
本発明は、その頂部表面から光を放出し、その底部表面から光を放出する、トップエミッティング型の発光ダイオードを使用する。第１の周辺光として前記ダイの頂部側から放出された光を使用するとき、ＵＳ７，４１４，２７０からの反射表面を避けることができる。結果として、マルチサイドエミッティングの発光ダイオードが作られ、反射は、ＵＳ７，４１４，２７０が提供している、サイドエミッティンングの発光ダイオードパッケージと比して、少なくとも重要な役割を果たさない。その底部表面からの、発光ダイオードを離れる光を完全に無視する（ｉｇｎｏｒｉｎｇ  ｔｈｅ  ｌｉｇｈｔ  ｌｅａｖｉｎｇ  ｔｈｅ  ｌｉｇｈｔ  ｅｍｉｔｔｉｎｇ  ｄｉｏｄｅ  ｆｒｏｍ  ｉｔｓ  ｂｏｔｔｏｍ  ｓｕｒｆａｃｅ）、ＵＳ７，４１４，２７０が提供しているサイドエミッティンングの発光ダイオードパッケージを比して、本発明は、より効率的に発光ダイオードを使用する。
【００１１】
トップエミッティング型の発光ダイオードが、その頂部表面から光を放出し、その底部表面から光を放出する、という事実は、発光ダイオードが、その側表面の１つ以上から光を放出し得るという可能性を除外しない。ダイの一方の側にある、その頂部表面から主な光（ｍａｉｎ  ｌｉｇｈｔ）を放出し、ダイの他方の側にある、その底部表面から更なる光を放出する、発行ダイオードは、通常、“トップエミッティング型”の発光ダイオードと呼ばれる。ダイはベアチップ（ｎａｋｅｄ  ｃｈｉｐ）又はハウジングレスチップ（ｈｏｕｓｉｎｇ−ｌｅｓｓ  ｃｈｉｐ）としても知られる。
【００１２】
一実施形態によると、発光ダイオード回路は、基板上に配置されているダイによって画成され、ダイの平面及び基板の平面は、実質的に鉛直な面である。ＵＳ７，４１４，２７０が提供しているサイドエミッティンングの発光ダイオードパッケージを比して、頂部表面及び底部表面の平面と、副台及び基板の平面と、は全て平行な平面であり、発光ダイオード回路において、ダイは、４５度と１３５度との間、好ましくは６０度と１２０度との間、更に好ましくは８０度と１００度との間、最も好ましくはおよそ９０度、回転している。したがって、ここでの実質的に垂直とは、４５度と１３５度との間、好ましくは６０度と１２０度との間、更に好ましくは８０度と１００度との間、最も好ましくはおよそ９０度の角度と一致する。そのように回転した発光ダイオード回路は、発光ダイオード回路及び基板の組み合わせのサイズが、少なくとも１方向で、縮小されるという点で、利点を有する。
【００１３】
一実施形態において、発光ダイオード回路は、第２の周辺光よりも、より高い強度である第１の周辺光によって画成される。通常、ダイの頂部側（発光ダイオードの頂部表面）から放出された光は、ダイの底部側（発光ダイオードの底部表面）から放出された光よりも、より高い強度を有するであろう。
【００１４】
一実施形態において、発光ダイオード回路は、第１の（複数の）方向で供される第１の周辺光と、第２の（複数の）方向で供される第２の周辺光と、によって画成される。通常、頂部側から放出された光は、底部側から放出された光とは別の方向で放出されるであろう。
【００１５】
一実施形態において、発光ダイオード回路は、第１の複数の方向の少なくとも１つと、反対の方向いある第２の複数の方向の少なくとも１つと、によって画成される。好ましくは、単独型として使用されるとき、発光ダイオード回路は、１種の全方向（ｏｍｎｉ−ｄｉｒｅｃｔｉｏｎａｌ）放射パターンを示すであろう。
【００１６】
一実施形態によると、発光ダイオード回路は、ダイに垂直である、複数の方向の少なくとも１つによって、画成される。また、好ましくは、発光ダイオード回路は、単独型として使用されるとき、１種の全方向放射パターンを示すであろう。
【００１７】
一実施形態によると、発光ダイオード回路は、少なくとも部分的に透明である筐体（ｈｏｕｓｉｎｇ）によって少なくとも部分的に囲まれている、ダイによって画成される。そのような透明の筐体は、発光ダイオード回路及び筐体の組み合わせのサイズが縮小されることによって、それが比較的薄くなり得るという点で、利点を有する。少なくとも部分的に透明な筐体は、全体として、部分的に透明である又は１つ以上のある部分よりも、より透明である１つ以上の他の部分を含む、筐体である。これらの１つ以上のある部分は、各々ひいては（ｅａｃｈ  ｔｈｅｎ）あまり透明でない又は全く透明でない。筐体は、如何なる種類の形状を有しても良い。
【００１８】
一実施形態によると、発光ダイオード回路は、更なる第１の周辺光及び更なる第２の周辺光を供する更なるトップエミッティング型の発光ダイオードを有する更なるダイを更に含み、前記更なる第１の周辺光は、前記更なるダイの頂部側から生じ、前記更なる第２の周辺光は、前記更なるダイの底部側から生じて、定義される。
【００１９】
一実施形態によると、発光ダイオード回路は、また更なる第１の周辺光及びまた更なる第２の周辺光を供するまた更なるトップエミッティング型の発光ダイオードを有するまた更なるダイを含み、前記また更なる第１の周辺光は、前記また更なるダイの頂部側から生じ、前記また更なる第２の周辺光は、前記また更なるダイの底部側から生じて、定義される。
【００２０】
一実施形態によると、発光ダイオード回路は、第１の色である第１の周辺光及び第２の周辺光と、第２の色である更なる第１の周辺光及び更なる第２の周辺光と、第３の色であるまた更なる第１の周辺光及びまた更なる第２の周辺光と、によって画成される。好ましくは、第１、第２及び第３の色は、例えば、赤、緑及び青といった、異なる色である。
【００２１】
本発明の第２の様態によると、デバイスは、上述されたような発光ダイオード回路を含んで定義され、当該デバイスは、ディスプレイ／スクリーンを更に含む。周辺光は、ビューアーに情報を供する表面／環境を増大させることによって、ディスプレイ／スクリーンを支持し得る。
【００２２】
Ａｍｂｉｅｎｔ  Ｌｉｇｈｔ  Ｔｅｃｈｎｏｌｏｇｙに関して省略形である、Ａｍｂｉｌｉｇｈｔは、照明効果がディスプレイ／スクリーンを介して示されたビデオコンテンツに対応する、ディスプレイ／スクリーン周辺に照明効果を発生させる、オランダのフィリップスエレクトロニクスによって発明された機能である。これらについて発生した照明効果は、例えば、より大きい仮想ディスプレイ／スクリーン、より実体験のようなビューイング体験（ｖｉｅｗｉｎｇ  ｅｘｐｅｒｉｅｎｃｅ）、ビューアーの眼精疲労の低減、通常の液晶ディスプレイの問題点（黒がグレーに変わる、バックライドのブリード（ｂｌｅｅｄ））である視認性についての低減などである。
【００２３】
一実施形態によると、デバイスは、第１の機能を有する第１の周辺光と、第２の機能を有する第２の周辺光とによって、画成される。通常、第１の機能及び第２の機能は、少なくとも部分的に異なる機能であろう。第１の（第２の）機能は、例えば、第１の（第２の）位置にある光で、及び／又は、第１の（第２の）強度を有する光で、及び／又は、第１の（第２の）方向を有する光で、及び／又は、第１の（第２の）形状を有する光で、及び／又は、第１の（第２の）方法でフィルタリングされた光で、などで、ディスプレイ及び／又はスクリーンを支持することを含む。
【００２４】
一実施形態によると、デバイスは、当該デバイスの左／右側又は後側で照明効果を発生させることを含む第１の機能と、当該デバイスの左／右側又は前側で照明効果を発生させることを含む第２の機能と、によって画成される。だから、第１の機能は、デバイスの左／右／後側での、ディスプレイ／スクリーンの支持を含み、第２の機能は、デバイスの左／右／前側での、ディスプレイ／スクリーンの支持を含む。そのとき、更なる変更を除外することなく、第１の周辺光を、通常、デバイスの後方に及びデバイスの側面の（後）部分で、照明効果を発生させるために使用することができ、第２の周辺光を、デバイスの前で、照明効果を主に発生させるために使用することができ、かつ、デバイスの側面の前部分で、補助的に照明効果を発生させるために使用することができる。
【００２５】
一実施形態によると、デバイスは、ディスプレイ／スクリーンを介して示されたビデオコンテンツに対応する照明効果によって画成される。
【００２６】
本発明の第３の様態によると、ディスプレイ／スクリーン周辺に照明効果を発生させる、第１の周辺光及び第２の周辺光を供する方法は、トップエミッティング型の発光ダイオードを有するダイを含む発光ダイオード回路を使用する段階を含み、前記第１の周辺非８仮は、前記ダイの頂部側から生じ、前記第２の周辺光は、前記ダイの底部側から生じる、方法によって定義される。
【００２７】
デバイス及び方法の実施形態は、発光ダイオードの実施形態と対応する。
【００２８】
ＵＳ７，２５４，３０９は、不利な複雑な構造を有し、底部表面からの、発光ダイオードを離れる光を無視する、サイドエミッティングの発光ダイオード及びレンズを開示する。
【００２９】
ＵＳ６，９０８，２１９は、不利な複雑な構造を有し、底部表面からの、発光ダイオードを離れる光を無視する、発光ダイオード光源を有する、高くに備え付けられた停止灯に関する光学要素を開示する。
【００３０】
認識（ｉｎｓｉｇｈｔ）は、（複数の）発光ダイオードが、その頂部表面及びその底部表面を通じて、光を放出するということであり得る。
【００３１】
基本的な考えは、第１の周辺光は、ダイの頂部側から生じ得、第２の周辺光がダイの底部側から生じ得るということであり得る。
【００３２】
改善された発光ダイオード回路を供する問題点は、トップエミッティング型の発光ダイオードが、マルチサイドエミッティングの発光ダイオード回路を作るために使用され、反射が比較的重要な役割を果たさず、解決される。
【００３３】
更なる利点は、発光ダイオード（からの光）が、より効率的に使用され、複雑な及び／又は色依存性の販社表面を避けることができ、多数の反射体及び／又はディフューザーを避けることができ、反射体及び／又はディフューザーの複雑性を低減することができ、発光ダイオード回路及び反射体及び／又はディフューザーのサイズ及び配置をあまり気にかけなくても良くすることができ、発光ダイオード回路及び／又はデバイスの製造プロセスのコストが低減され、一方の側面（ｈａｎｄ）上の発光ダイオード回路と、他方の側面の基板及び／又は筐体との組み合わせのサイズが低減されるということであり得る。
【００３４】
さらに、発光ダイオード回路の別の用途は、バックライトの基づいた発光ダイオードであり得る。
【００３５】
本発明のこれら及び他の様態は、この後に述べられる実施形態を参照して、明らかであり、説明されるであろう。
【図面の簡単な説明】
【００３６】
【図１】図１は、従来技術の発光ダイオードを有する従来技術のデバイスを示す。
【図２】図２は、本発明に係る発光ダイオード回路を有する、本発明に係るデバイスを示す。
【発明を実施するための形態】
【００３７】
図１において、従来技術の発光ダイオード回路３を有する従来技術のデバイス１が示される。デバイス１は更に、ディスプレイ／スクリーン２と、発光ダイオード３が取り付けられている基板４と、を含む。発光ダイオード回路３は、発光ダイオード回路３の内側の破線のブロックによって示されるように、発光ダイオードを有するダイを含む。発光ダイオードは、その頂部表面から光を放出する。言い換えると、ダイはその頂部側から光を放出する。発光ダイオードによって、その底部表面から放出された如何なる光、言い換えると、ダイによってその底部側から放出された如何なる光は、基板４へと進入し、失われる。
【００３８】
発光ダイオード回路３からやってくるある光は、ディフューザー５を通過し、左の壁及び／又は後ろの壁へと達し、１つの（又は１つより多くの）ハロー（ｈａｌｏ）を生み出し、発光ダイオード回路３からやってくる別の光は、反射体６によって反射され、その後、デバイス１の前側に進むであろう。このようにして、過去には、周辺ん光は、発光ダイオードの頂部表面だけを使用することによって、及び／又はダイの頂部側だけを使用することによって、生み出されてきた。
【００３９】
この従来技術の状況において、発光ダイオード回路３と、デバイス１及び／又はディスプレイ／スクリーン２の一部と、の間の角度は、比較的重要であり、ディフューザー５と、デバイス１及び／又はディスプレイ／スクリーン２の一部と、の間の角度は、比較的重要であり、かつ、反射体６と、デバイス１及び／又はディスプレイ／スクリーン２の一部と、の間の角度は、比較的重要である。ここで、示された全ての角度はおおよそ同じであるが、実際の状況において、角度は、異なる値を得る必要があり得る。ディフューザー５及び／又は反射体６は、複雑な特性を得る必要があり得、少なくとも部分的に曲げられる必要があり得る。より複雑な要素が、通常、存在する必要があるであろう。結果的に、発光ダイオードからのいくらかの光は、全く使用されない。
【００４０】
図２において、本発明に係る発光ダイオード回路１０を有する、本発明に係るデバイス１が、示される（上面図）。デバイス１は更に、ディスプレイ／スクリーン２と、発光ダイオード回路が取り付けられる基板１４と、を含む。発光ダイオード回路１０は、発光ダイオード回路１０の内側に破線のブロックによって示された、発光ダイオードを有するダイを含む。発光ダイオードは、その頂部表面から光を放出する。言い換えると、ダイは、その頂部側から第１の周辺光１１を放出する。発光ダイオードはまた、その底部表面んから光を放出する。言い換えると、ダイはまた、その底部側から第２の周辺光１２を放出する。さらに、第３の周辺光１３が、ダイの側面の“サイドウェイ（ｓｉｄｅｗａｙｓ）”から放出され得る。
【００４１】
結果として、マルチサイドの発光ダイオード回路が作られ、発光ダイオードはより効率的に使用される。ダイ及び基板の平面が平行面である、図１で示された従来技術の状況と比して、発光ダイオード回路１０において、ダイの平面は、基板１４の平面に平行でない。発光ダイオード１０において、ダイは、例えば４５度と１３５度との間で、好ましくは６０度と１２０度との間で、更に好ましくは８０度と１００度との間で、最も好ましくはおおよそ９０度で、回転される。そのような回転された発光ダイオード回路１０は、少なくとも１つの方向で、発光ダイオード回路１０及び基板１４の組み合わせのサイズが低減されるという点において、有利である。ダイは、少なくとも部分的に透明な筐体によって、少なくとも部分的に囲まれても良い。そのような透明な筐体は、光を遮る必要がなく、それどころか、光が通過できるという事実により、比較的薄くすることができるという点において、利点である。そのような透明かつ薄い筐体は、発光ダイオード回路及び筐体の組み合わせのサイズが低減されるという点で、利点である。発光ダイオード回路１０は、図２に示されるように配置されるとき、およそ２７０度の、非常に有利な放射パターンを生み出し、それによって、比較的多くの、及び／又は比較的複雑な構造物を必要としない。
【００４２】
好ましくは及び／又は通常は、発光ダイオード回路１０は、色ごとのダイを含み得て、各々のダイは、色について、１つ以上の発光ダイオードを含む。又は、１つ以上ノダイを含み得て、各々のダイは、２つ以上の色について、１つ以上の発光ダイオードを含む、などである。
【００４３】
第２の周辺光１２の強度があまりに低い場合、第１の周辺光１１の一部は、第２の周辺光１２を支持するために、部分的に反射されるなどしても良い。その結果、１つ以上の反射体は、まだ存在する必要があり、除外される必要がないかもしれない。同様に、１つ以上のディフューザーは、まだ存在する必要があり、除外される必要がないかもしれない。デバイス１に関して、発光ダイオード回路１０の他の配置も、除外されるべきでない。
【００４４】
集約すると、発光ダイオード回路１０は、複雑で色依存性である、反射表面を避け、光をより効率的に使用するために、ダイの頂部側から生じる第１の周辺光を供し、ダイの底部側から生じる第２の周辺光１２を供する発光ダイオードを有するダイを含む。ダイを基板上に配置することができ、ダイ及び基板の平面は、平行でない平面であり、かつ、ダイは、少なくとも部分的に透明である筐体によって、少なくとも部分的に囲まれ得る。デバイス１は、デバイス１の左／右／後側での支持といった、第１の機能を有する、第１の周辺光１１によって支持され、デバイス１の左／右／前側での支持といった、第２の機能を有する第２の周辺光１２によって支持された、ディスプレイ／スクリーン２及び発光ダイオード回路１０を含む。
【００４５】
本発明は、図面及び前述の詳細な説明内で詳細に説明され、記載されてきたが、そのような説明及び説明は、説明的又は例示的であり、制限的でないと考えられるべきである；本発明は、開示された実施形態に制限されない。例えば、種々の開示された実施形態の異なる部分が新しい実施形態内に組み込まれる、ある実施形態で本発明を作動することが可能である。
【００４６】
開示された実施形態の他の変化は、図面、開示内容及び添付の特許請求の範囲の研究から、クレーム化された発明を実行するときに、当業者によって、理解され、達成され得る。特許請求の範囲内における、“含む”なる用語は、他の要素又は段階を除外せず、不定冠詞“ａ”又は“ａｎ”は、複数を除外しない。単一の装置又は他のユニットが、特許請求の範囲に引用された複数の事項の機能を満たし得る。複数の測定が、互いに異なる独立請求項内で引用されているという事実は、これらの測定されたものの組み合わせが、有利に使用され得ないということを示さない。コンピュータプログラムは、光学記憶媒体又は他のハードウェアと一緒に又は一部として供されるソリッドステート媒体といった、適切な媒体上に記録され得る／割り振られ得るが、インターネット又は他の有線又は無線の通信システムを介してといった、他の形態で割り振られても良い。特許請求の範囲内の如何なる参照符号は、範囲を制限んするよう解釈されるべきでない。
【図１】
2012532439.tif 000003
【図２】
2012532439.tif 000004
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
ディスプレイ／スクリーンの周辺に照明効果を発生させる、第１の周辺光及び第２の周辺光を供する、トップエミッティング型発光ダイオードを有するダイを含み、
前記第１の周辺光は、前記ダイの頂部側から生じ、
前記第２の周辺光は、前記ダイの底部側から生じ、
前記第１の周辺光は、前記第２の周辺光よりも、より高い強度であり、
前記ダイは、基板上に配置され、前記ダイの平面と前記基板の平面とは、実質的に鉛直な面である、
発光ダイオード回路。
【請求項２】
前記第１の周辺光は、第１の方向で供され、
前記第２の周辺光は、第２の方向で供される、
請求項１に記載の発光ダイオード回路。
【請求項３】
前記第１の方向の少なくとも１つと前記第２の方向の少なくとも１つとは、反対方向である、請求項２に記載の発光ダイオード回路。
【請求項４】
前記方向の少なくとも１つは、前記ダイに対して鉛直である、請求項２に記載の発光ダイオード回路。
【請求項５】
前記ダイは、少なくとも部分的に透明な筐体によって、少なくとも部分的に囲まれる、請求項１に記載の発光ダイオード回路。
【請求項６】
更なる第１の周辺光と更なる第２の周辺光とを供する、更なるトップエミッティング型の発光ダイオードを有する、更なるダイを含み、
前記更なる第１の周辺光は、前記更なるダイの頂部側から生じ、
前記更なる第２の周辺光は、前記更なるダイの底部側から生じる、
請求項１に記載の発光ダイオード回路。
【請求項７】
また更なる第１の周辺光とまた更なる第２の周辺光とを供する、また更なるトップエミッティング型の発光ダイオードを有する、また更なるダイを含み、
前記また更なる第１の周辺光は、前記また更なるダイの頂部側から生じ、
前記また更なる第２の周辺光は、前記また更なるダイの底部側から生じる、
請求項６に記載の発光ダイオード回路。
【請求項８】
前記第１の周辺光及び前記第２の周辺光は第１の色であり、
前記更なる第１の周辺光及び前記更なる第２の周辺光は第２の色であり、
前記また更なる第１の周辺光及び前記また更なる第２の周辺光は第３の色である、
請求項７に記載の発光ダイオード回路。
【請求項９】
請求項１に記載の発光ダイオード回路を含むデバイスであって、
当該デバイスは更に、ディスプレイ／スクリーンを含む、
デバイス。
【請求項１０】
前記第１の周辺光は、第１の機能を有し、
前記第２の周辺光は、第２の機能を有する、
請求項９に記載のデバイス。
【請求項１１】
前記第１の機能は、前記デバイスの左／右側又は後側に、照明効果を発生させることを含み、
前記第２の機能は、前記デバイスの左／右側又は前側に、照明効果を発生させることを含む、
請求項１０に記載のデバイス。
【請求項１２】
前記照明効果は、前記ディスプレイ／スクリーンを介して示されたビデオコンテンツに対応する、請求項１１に記載のデバイス。
【請求項１３】
ディスプレイ／スクリーンの周辺に照明効果を発生させる、第１の周辺光及び第２の周辺光を供する方法であって、
当該方法は、
トップエミッティング型の発光ダイオードを有するダイを含む、発光ダイオード回路を使用する段階を含み、
前記第１の周辺光は、前記ダイの頂部側から生じ、
前記第２の周辺光は、前記ダイの底部側から生じ、
前記第１の周辺光は、前記第２の周辺光よりも、より高い強度であり、
前記ダイは、基板上に配置され、前記ダイの平面と前記基板の平面とは、実質的に鉛直な面である、
第１の周辺光及び第２の周辺光を供する方法。
【手続補正２】
【補正対象書類名】明細書
【補正対象項目名】０００７
【補正方法】変更
【補正の内容】
【０００７】
ＪＰ２００１３５８３６７Ａは、チップ型発光要素を開示し、図１及び図２において、（その段落００１３内で述べられるように）電極上に取り付けられた底部を有するサイドエミッティングの発光ダイオードを開示し、図３及び図４において、電極に取り付けられた（頂部の反対側に）底部を有するトップエミッティング型の発光ダイオードを開示する。
ＪＰ２００４２８９０６８は、半導体用の発光エレメントを開示する。
【手続補正３】
【補正対象書類名】明細書
【補正対象項目名】０００９
【補正方法】変更
【補正の内容】
【０００９】
本発明の第１の様態によると、発光ダイオード回路は、ディスプレイ／スクリーン周辺に照明効果を発生させる、第１の周辺光及び第２の周辺光を供する、トップエミッティング型の発光ダイオードを有するダイを含み、前記第１の周辺光は、前記ダイの頂部側から生じ、前記第２の周辺光は、前記ダイの底部側から生じ、前記第１の周辺光は、前記第２の周辺光よりも、より高い強度であり、前記ダイは、基板上に配置され、前記ダイの平面と前記基板の平面とは、実質的に鉛直な面であって、定義される。
【手続補正４】
【補正対象書類名】明細書
【補正対象項目名】００１２
【補正方法】変更
【補正の内容】
【００１２】
ＵＳ７，４１４，２７０が提供しているサイドエミッティンングの発光ダイオードパッケージを比して、頂部表面及び底部表面の平面と、副台及び基板の平面と、は全て平行な平面であり、発光ダイオード回路において、ダイは、４５度と１３５度との間、好ましくは６０度と１２０度との間、更に好ましくは８０度と１００度との間、最も好ましくはおよそ９０度、回転している。したがって、ここでの実質的に垂直とは、４５度と１３５度との間、好ましくは６０度と１２０度との間、更に好ましくは８０度と１００度との間、最も好ましくはおよそ９０度の角度と一致する。そのように回転した発光ダイオード回路は、発光ダイオード回路及び基板の組み合わせのサイズが、少なくとも１方向で、縮小されるという点で、利点を有する。
【手続補正５】
【補正対象書類名】明細書
【補正対象項目名】００１３
【補正方法】変更
【補正の内容】
【００１３】
通常、ダイの頂部側（発光ダイオードの頂部表面）から放出された光は、ダイの底部側（発光ダイオードの底部表面）から放出された光よりも、より高い強度を有するであろう。
【手続補正６】
【補正対象書類名】明細書
【補正対象項目名】００２６
【補正方法】変更
【補正の内容】
【００２６】
本発明の第３の様態によると、ディスプレイ／スクリーン周辺に照明効果を発生させる、第１の周辺光及び第２の周辺光を供する方法は、トップエミッティング型の発光ダイオードを有するダイを含む発光ダイオード回路を使用する段階を含み、前記第１の周辺非８仮は、前記ダイの頂部側から生じ、前記第２の周辺光は、前記ダイの底部側から生じ、前記第１の周辺光は、前記第２の周辺光よりも、より高い強度であり、前記ダイは、基板上に配置され、前記ダイの平面と前記基板の平面とは、実質的に鉛直な面である、方法によって定義される。
【国際調査報告】
2012532439.tif 000005
2012532439.tif 000006
2012532439.tif 000007
2012532439.tif 000008
2012532439.tif 000009